(57)【要約】生体部位及び／又は生体の体液や生体から発生する気体中に存在する各種病原体、異常や疾患に対応する抗原あるいはリガンドを検出する手段と、該検出手段が前記病原体、抗原、あるいはリガンドを検出した際に信号発生手段を有したセンサであって、当該センサは、異常時に臭気を発生する原因である病原体、抗原、あるいはリガンドを検出した際に電気的な変化を生じて、異常を検知するものである。【特許請求の範囲】
【請求項１】
生体部位及び／又は生体の体液、生体から発生する気体中に存在する各種病原体、異常や疾患に対応する抗原或いはリガンドを検出する検出手段と、該検出手段が前記病原体、抗原或いはリガンドを検出した際に信号を発生する信号発生手段、とを有することを特徴とする診断用センサ。
【請求項２】
半導体基盤に構成された集積回路上或いはその近傍に抗体或いはタンパク質を塗布又は付設して前記検出手段を構成し、抗体或いはタンパク質を塗布又は付設した箇所と集積回路とは導電体部分により電気的に接続されており、集積回路内には信号発生手段が構成されており、抗体と抗原が一致したとき或いはタンパク質とリガンドが結合したときに発生する表面弾性波電流が前記導電体部分により前記集積回路へ伝達された際に、当該表面弾性波電流に対応する信号を集積回路外部に送出する様に構成されている請求項１の診断用センサ。
【請求項３】
請求項１、２の何れかに記載された診断用センサを用いた診断用システムにおいて、前記診断用センサが発生する信号を増幅する信号増幅手段と、前記診断用センサが病原体、抗原或いはリガンドを検出していない場合に発生する信号をベース信号として記憶している記憶手段と、制御手段と、表示手段とを有し、前記制御手段は、前記診断用センサが発生した信号と記憶手段で記憶されているベース信号とを比較し、診断用センサが発生した信号が病原体、抗原或いはリガンドを検出した場合の信号であるか否かを判断する様に構成されていることを特徴とする診断用システム。
【請求項４】
請求項１、２の何れかに記載された診断用センサ及びコンピュータネットワークを用いた診断用システムにおいて、受診側に設けられ且つ前記診断用センサが発生する信号を読み取って電気信号を発生する読取手段と、該読取手段からの電気信号をネットワークに送出する受診側コンピュータと、ネットワーク経由で送られてきた前記読取手段からの信号を受信する診断側コンピュータとを含み、診断側コンピュータは、前記診断用センサが病原体、抗原或いはリガンドを検出していない場合に読取手段が発生する信号を予めベース信号として記憶している記憶手段と、ネットワーク経由で送られてきた信号とベース信号とを比較する比較手段と、比較手段の出力信号に基いてネットワーク経由で送られてきた信号に対応する受診側の状態を判定する判定手段、とを有していることを特徴とするコンピュータネットワークを用いた診断用システム。
【請求項５】
請求項１〜４の何れか１項の診断用センサを収容する収容部を形成し、乳房に異常が存在した場合に収容部内の前記診断用センサにより当該異常の要因である抗原或いはリガンドを検出して当該異常を報知せしめる様に構成されていることを特徴とするブラジャー。
【発明の詳細な説明】
【技術分野】  本発明は、生体に異常が発生した場合に、その異常を検知、診断するための方法及び検知に用いるセンサに関するものである。
【背景技術】  各種病、疾患、その他の身体の異常を検知するための技術が、従来から種々提案されている。その様な検知技術は、身体を切開して組織を採取する技術と、身体を切開すること無く異常を検知する技術とに大別される。
ここで、異常の有無を検知する対象である被験者の身体的な負担を考慮すると、身体を切開しないタイプの異常検知が好適である。
身体に異常を生じた場合には、健常時には発生しないような臭気を生じることは、経験則として良く知られている。
しかし、人間の五感の内で、嗅覚は特に情緒的或いは感情的な感覚であり、同一の臭気であっても、当該臭気の存在する雰囲気の僅かな違いにより心地良い「香気」と感じることもあれば、「悪臭」と感じることもある。また、個人毎に感覚的なばらつきが大きい。
そのため、係る臭気を基準にして身体の異常を検知する技術は、実用化は殆ど為されていない。
また、疾患特有の酵素やタンパク質を抗体−酵素系を用いて測定できるセンサも提案されている（例えば、特開平１０−２６７８８８号公報参照）。
しかし、その様なセンサでは、臭気を基準にして身体の異常を検知するという手法に適用することが困難である。
【発明の開示】
本発明の目的は、患者に苦痛の伴う生体組織の一部の切除及び／又は血液の採取を行うこと無く、或いは、採取された生体組織の一部及び又は血液を長時間にわたる顕微鏡によって検査するような従来の検査方法を必要とせずに、簡単な装置によって、臭気を基準に容易に人体の異常を検出出来るような診断用センサ及び診断用システムを提供することである。
発明者は、生体に異常がある場合や疾患時には、生体自体や、生体の血液、汗等の体液や、呼気、吸気や皮膚からの水蒸気等の生体から発生する気体中に、健常時には発生しない様な臭気を生じることに、以前より着目していた。
そして今般、発明者は、係る臭気は、異常や疾患を有している生体の各部位や、体液、生体からの気体内に、病原体や異常や疾患に対応する抗原或いはリガンドの分子や粒子が包含されていることが原因であり、当該部位や体液、気体から病原体や抗原或いはリガンドを検出すれば、生体の状態について精度の高い診断を行うことが出来ることに着目した。
上述した知見に基づく本発明の診断用センサ（Ａ）は、生体部位及び／又は生体の体液や生体から発生する気体中に存在する各種病原体、異常や疾患に対応する抗原（Ｓ）或いはリガンドを検出する検出手段（２）と、該検出手段（２）が前記病原体、抗原（Ｓ）或いはリガンドを検出した際に信号を発生する信号発生手段（半導体集積回路１）、とを有することを特徴としている（請求項１）。
ここで、前記病原体、抗原（Ｓ）或いはリガンドは疾病の要因であり、前記検出手段（２）は全ての病原体或いは抗原を検出するのではなく、特定の病原体、抗原（Ｓ）或いはリガンドを検出するものであることが好ましい。
そして、前記検出手段（２）は、例えば１種類の病原体、抗原或いはリガンドのみを検出し、当該検出するべき病原体或いは抗原（Ｓ）と結合する抗体（Ｒ）を備えているか、又は、当該リガンドと結合するタンパク質（リガンドレセプター）を備えており、当該抗体（Ｒ）或いはタンパク質を備えた部位を感知部（２）としているのが好ましい。さらに、前記抗体（Ｒ）は、単一のクローン抗体（モノクロナール抗体）を利用することが好ましい。
これに加えて、前記検出手段（２）は、免疫細胞が自己と異物を区別する時に用いている主要組織適合抗原複合体（ＭＨＣ）の遺伝子群に対応する各個人の体臭を検出する様に構成することも可能である。
また、本発明の診断用センサ（Ａ）は、半導体基盤に構成された集積回路（１）上或いはその近傍に抗体（Ｒ）或いはリガンドを塗布又は付設して前記検出手段（２）を構成し、抗体（Ｒ）を塗布又は付設した箇所（２）と集積回路（１）とは導電体部分（３）により電気的に接続されており、集積回路（１）内には信号発生手段が構成されており、抗体（Ｒ）と抗原（Ｓ）が一致したとき或いはタンパク質がリガンドと結合したときに発生する表面弾性波電流（４ａ）が前記導電体部分（３）により前記集積回路（１）へ伝達された際に、当該表面弾性波電流（４ａ）に対応する電気信号を集積回路（１）外部に送出する様に構成されている（請求項２）。
上述した診断用センサ（Ａ）を用いた本発明の診断用システム（Ｂ）は、前記診断用センサ（Ａ）が発生する信号を増幅する信号増幅手段（５）と、前記診断用センサ（Ａ）が病原体、抗原（Ｓ）或いはリガンドを検出していない場合に発生する信号をベース信号として記憶している記憶手段（データベース６）と、制御手段（コントロールユニット７）と、表示手段（モニタ８）とを有し、前記制御手段（７）は、前記診断用センサ（Ａ）が発生した信号と記憶手段（６）で記憶されているベース信号とを比較し、診断用センサ（Ａ）が発生した信号が病原体、抗原（Ｓ）或いはリガンドを検出した場合の信号であるか否かを判断する様に構成されている（請求項３：図４、図５）。
また、上述した診断用センサ（センサチップＣ）及びコンピュータネットワーク（Ｎ）による本発明のコンピュータネットワークを用いた診断用システム（Ｅ）は、受診側（診断を受ける側）に設けられ且つ前記診断用センサ（Ｃ）が発生する信号を読み取って電気信号を発生する読取手段（リーダー７５）と、該読取手段（７５）からの電気信号をネットワーク（Ｎ）に送出する受診側コンピュータと（７０）、ネットワーク（Ｎ）経由で送られてきた前記読取手段（７５）からの信号を受信する診断側コンピュータ（Ｄ）とを含み、診断側コンピュータ（Ｄ）は、前記診断用センサ（Ｃ）が病原体、抗原或いはリガンドを検出していない場合に読取手段（７５）が発生する信号を予めベース信号として記憶している記憶手段（Ｄ３）と、ネットワーク（Ｎ）経由で送られてきた信号とベース信号とを比較する比較手段（Ｄ４）と、比較手段（Ｄ４）の出力信号に基いてネットワーク（Ｎ）経由で送られてきた信号に対応する受診側の状態を判定する判定手段（Ｄ５）、とを有している（請求項４：図８）。
これに加えて、本発明のブラジャー（１０）は、上述した何れかの診断用センサ（Ｃ）を収容する収容部（１０ａ）を形成し、診断用センサ（Ｃ）は、乳房に異常が存在した場合に収容部（１０ａ）内の診断用センサ（Ｃ）により当該異常の要因である抗原或いはリガンドを検出して当該異常を報知せしめる様に構成されている（請求項５：図９）。
ここで、前記抗原は、例えば乳癌に対応する抗原である。
また、前記収容部は、乳頭部近傍となる位置が好ましい。
上述した抗体と抗原の一致による（特定化部分）検出部（特定化部分）を有する診断用センサ、またはリガンドとタンパク質（リガンドレセプター）とが結合したことを検出するセンサを、他のセンサに置き換えることも可能である。
例えば、臭気センサによる臭い感知機能を利用したもの、ペタイン色素やメロシアニン色素等の有機色素膜を利用したセンサ、βカロチン等の化学物質を利用したセンサ、酸化錫（ＳｎＯ２）、酸化亜鉛（ＺｎＯ）、酸化鉄（Ｆｅ２Ｏ３）、酸化チタン（ＴｉＯ３）等の金属酸化物半導体センサによっても検出可能である。
また、上述したような、複数のセンサを同時に準備し、その相関関係を予め用意した回答パターンと照合して、近似した値から種々の疾病に関係する成分を特定することも可能である。
【図面の簡単な説明】  図１は本発明の第１実施形態の全体構成を示す斜視図、図２は本発明の第１実施形態におけるタンクローン抗体と抗原の照合状態をイメージとして描いた模式図で抗原が抗体と一致しない場合の状態を示した図、図３は本発明の第１実施形態におけるタンクローン抗体と抗原の照合状態をイメージとして描いた模式図で抗原が抗体と一致する場合の状態を示した図、図４は本発明の第２実施形態の全体構成を示したブロック図、図５は本発明の第２実施形態の診断方法を説明するフローチャート、図６は本発明の第３実施形態の診断用チップの構成を示した斜視図、図７は本発明の第４実施形態の診断用チップの構成を示したブロック図、図８は本発明の第５実施形態の診断システムの構成を示すブロック図、図９は本発明の第６実施形態の乳癌診断用ブラジャーの斜視図、である。
【発明を実施するための最良の形態】  以下、添付図面を参照して、本発明の実施形態について説明する。
先ず、図１〜図３を参照して第１実施形態を説明する。図１〜図３の第１実施形態は診断用センサの一例を立体的に示した図である。
図１において、全体を符号Ａで示すセンサは、半導体基盤に構成された集積回路１上に載置したモノクロナール抗体Ｒとそのモノクロナール抗体Ｒと前記半導体集積回路１とを接続する導電体３によって構成されている。
センサＡは、図２に示すように、抗体Ｒ（モノクロナール抗体）を備え、検出手段である検知部分２と検知部分２の上面に載せた抗原Ｓが検知部分２の抗体Ｓとが一致しない場合（抗原がＳａの場合）には取り出される電気信号である微弱波形（例えば正弦波）４ａは変化しないが、図３に示すように、検知部分２の抗体Ｒと抗原Ｓが一致（抗原がＳｂ）すると、表面弾性波電流或いは界面微量電流と呼ばれる電流４ｂが発生して、微弱波形４ａが変化する。
変化した微弱波形４ｂと、抗体Ｒと抗原Ｓが一致しない場合（抗原はＳａ）の微弱波形４ａとを比較して、抗体Ｒと抗原Ｓが一致したか否かを判定する。
抗体Ｒの安定性を確保するため、抗体Ｒを備えた感知部分２は被膜２ｆにより被覆されている。そして、当該被覆２ｆは、抗原分子或いは抗原微粒子は透過するが、抗体は通過出来ない様な材質で構成されている。
また、センサチップの感知部分２は、抗体Ｒのみならず、特定の抗原Ｓに反応する物質で代用させることも可能である。
ここで、特定の抗原Ｓに反応する物質とは、例えば、臭気センサによる臭い感知機能を利用したもの、ペタイン色素やメロシアニン色素等の有機色素膜を利用したセンサ、βカロチン等の化学物質を利用したセンサ、酸化錫（ＳｎＯ２）、酸化亜鉛（ＺｎＯ）、酸化鉄（Ｆｅ２Ｏ３）、酸化チタン（ＴｉＯ３）等の金属酸化物半導体センサが有り、これらのセンサ類によっても検出可能である。
また、上述したような、複数のセンサを同時に準備し、その相関関係を予め用意した回答パターンと照合して、近似した値から種々の疾病に関係する成分を特定することも可能である。
次に、図４，５を参照して第２実施形態を説明する。図４，５の第２実施形態は、第１実施形態の診断用センサを含めた診断システムである。
先ず、図４を参照して、当該診断システムの構成を説明する。
全体を符号Ｂで示す診断システムは、前記抗体Ｒ（モノクロナール抗体）を備えた検知部分２と半導体集積回路１と検知部分２と半導体集積回路１とを接続する導電体３とから構成される診断用センサＡと、その診断用センサＡに接続され、診断用センサＡから発信される信号を増幅する半導体増幅器（信号増幅器）５と、その信号増幅器５及びデータベース６と信号ラインＬで接続されたコントロールユニット７とを有している。
さらに診断システムＢは、画像表示装置（モニタ）８及び音声出力装置９を含み、その画像表示装置（モニタ）８及び音声出力装置９は、制御信号ラインＬｏによって前記コントロールユニット７に接続されている。
次に、図５を参照して、診断システムＢによる診断方法を説明する。
先ず、コントロールユニット７は、半導体増幅器５から出力される微弱電流を検出する（ステップＳ１）。
次に、微弱電流の波形をチェックし（ステップＳ２）、ベースとなる波形と許容範囲以上相違しているか否かを判断する（ステップＳ３）。ここで、「ベースとなる波形」とは、抗体Ｒと、抗原Ｓが一致しない場合の微弱電流の波形を示す。
許容範囲以上相違していれば（ステップＳ３のＹＥＳ）、ステップＳ４に進み、許容範囲以上相違していなければ（ステップＳ３のＮＯ）、ステップＳ６まで進む。
ステップＳ４では、コントトールユニット７は、「抗体Ｒと一致する抗原Ｓが一定以上存在する」と判定し、例えば、画像表示装置８及び、又は音声出力手段９によって、「抗体と一致する抗原が一定以上存在する」ことを、当該診断システムＢを操作している、例えば医師、或いは被験者（患者）等に知らせる（ステップ３５）。
次のステップＳ６では、コントロールユニット５は、診断（制御）を終了するか否かを判断しており、終了するのであれば（ステップＳ６のＹＥＳ）、そのまま制御を終える。一方、未だ検査が終了していないと判断すれば（ステップＳ６のＮＯ）、ステップＳ１に戻り、再びステップＳ１以降を繰り返す。
上述した第１実施形態の診断用センサＡ、およびセンサＡを用いた診断システムＢによれば、診断用センサＡが発生した信号と、データベース４に記憶されているベース信号とを比較し、診断用センサＡが発生した信号が病原体或いは抗原を検出した場合の信号であるか否かを容易に判断することが出来、患者に苦痛の伴う生体組織の一部の切除及び／又は血液の採取を行わないで、人体の異常を検出出来る。
次に、図６を参照して、第３実施形態を説明する。図６の第３実施形態は、図４、５の第２実施形態の診断システムを、単一のチップで構成した実施形態である。
即ち、第３実施形態は、一つのチップ（診断用チップ）Ｃに、半導体集積回路１Ｃと、その半導体集積回路１Ｃ上に形成したモノクロナール抗体を有する検知部分２Ｃと、記憶部６Ｃと、コントロールユニット７Ｃと、表示手段である液晶表示部８Ｃとを備えており、単一のチップＣによって、診断が可能に構成された実施形態である。
図７は本発明の第４実施形態を示している。
図１〜図３の第１実施形態では、モノクロナール抗体Ｒが集積回路１上に直接載置されており、図６の第３実施形態では、抗体Ｒを有する検知部分２Ｃが集積回路１Ｃ上に直接載置されている。
これに対して、図７の第４実施形態では、モノクロナール抗体Ｒは水晶振動子２０上に載置されており、水晶振動子２０は信号伝達ラインＴＬ−１を介して集積回路１Ｄに電気的に接続されている。換言すれば、水晶振動子２０で発生した電気信号が、信号伝達ラインＴＬ−１により集積回路１Ｄに伝達される様に構成されている。
抗体Ｒ（モノクロナール抗体）と抗原Ｓとが一致した場合に生じる電気的な変化（微弱電気信号の変動）は、水晶振動子２０により増幅され、当該増幅された信号が信号伝達ラインＴＬ−１を介して集積回路１Ｄに伝達される。
集積回路１Ｄでは、例えば図５を参照して前述されたような態様にて、信号処理或いは情報処理が行われる。
その他の構成及び作用効果については、第１実施形態〜第３実施形態と同様である。
次に、図８を参照して、第５実施形態を説明する。
図６の第３実施形態では、診断結果（「抗体と抗原との一致、不一致」のみの結果）が、チップ上に表示されるのみであり、詳細については不明な部分も多くあって、それ以上の診断が困難である。
これに対して、図８の第５実施形態は、チップで所定の部位を検知した状態で、チップからの検出信号を信号読取手段で受信し、信号読取手段でチップからの信号を受信した後、当該信号をネットワーク経由で、たとえば、医療施設の診断用手段へ送信し、診断用手段で、チップからの信号に基いて、診断する実施形態（システム全体を符号Ｅで示す）である。
図８において、或る家庭Ｈには、図６の第３実施形態で説明したと同様の診断用チップＣ及びそのチップＣの診断結果を読み取るリーダー７５が常備されている。前記リーダー７５は、家庭用のパソコン７０と接続されおり、そのパソコン７０はモニタ８０および入力手段８０ａを備えている。
一方、診断側（医療機関）のコンピュータＤには、送受信手段Ｄ１、波形決定手段Ｄ２、記憶手段Ｄ３、比較手段Ｄ４及び判定手段Ｄ５を備えている。
前記家庭のパソコン７０は、ネットワークＮを介して、前記診断側コンピュータＤの送受信手段Ｄ１に接続されおり、診断用チップＣで採取した結果（抗体と抗原の一致、不一致を反映した微弱波形のデータ）を前記送受信手段Ｄ１、波形決定手段Ｄ４を介して、比較手段Ｄ４に送る。
比較手段Ｄ４では、記憶手段Ｄ３に記憶された、各種抗体Ｒのデータと、家庭用チップＣで採取した波形を比較して、採取した抗体データにより、データを提供している被験者がどのような疾病、疾患、或いは問題点を抱えているかを判断する。
すなわち、診断自体は、図４、図５の第２実施形態と同様に行われる。
上述した診断用センサ（チップＣ）及びコンピュータネットワークＮによる診断用システムＥは、家庭Ｈ内に診断用センサ（チップＣ）を設置することで、家庭内のコンピュータ５０からネットワークＮを介して、自動的に診断側コンピュータＤに情報が送られ、予め診断側コンピュータＤの記憶手段Ｄ３に用意されたデータと照合比較することで、短時間で異常、或いは疾病を判断することが出来、早期治療に貢献する。
次に、図９を参照して第６実施形態を説明する。
図９の第６実施形態は、図１〜図３の第１実施形態、図４，５の第２実施形態、図６の第３実施形態のチップ、図８の第５実施形態を、特に乳癌検知の用途に使用した実施形態（診断用装置Ｆ）である。
当該診断用装置Ｆは、図９で示す様に、女性用のブラジャー１０にポケット部分（収容部）１０ａを形成して、当該ポケット部分１０ａにチップＣを収容したものである。
ここで、乳癌の９０％以上が乳管を構成する腺上皮から発生する「乳管がん」と呼ばれるものであるため、特に乳癌検知を目的とする場合、上記ポケットは乳頭部が位置するであろう箇所に設けることが好ましい。
乳頭部近傍にチップＣを配置すれば、乳管の異常が早期に検知される。従って、乳癌の早期検出が可能となる。
但し、その他の部分にポケット１０ａを設けて、チップＣを収容することも可能である。
また、第６実施形態では、女性用ブラジャー１０が対象であるが、女性用のパンティーにも適用が可能である。この場合、特に泌尿器系の癌や、子宮癌等の早期検出が可能となる。
尚、胃癌、肝臓癌等、癌発生組織の近傍にあって、体臭や皮膚の分泌物及びその気体又は口臭を捉えて、癌の発生を予知することも出来る。
上述の第１〜第６実施形態において、抗体Ｒ（モノクロナール抗体）に代えてタンパク質（リガンドレセプター）を備え、特定のリガンドが当該タンパク質により選択的に結合するのを検出する様に構成しても良い。換言すれば、図示の実施形態において、抗体Ｒをリガンドレセプターであるタンパク質に代えて、抗原Ｓをリガンドに代えることが出来るのである。
タンパク質はリガンドと結合するに際しては、抗体Ｒと抗原Ｓとの一致に匹敵する強い選択性を示す。タンパク質がリガンドと結合する際の挙動は、抗体Ｒが抗原Ｓと一致した際の挙動と同様に考えれば良い。
図示の実施形態はあくまでも例示であり、本発明の技術的範囲を限定する趣旨の記述ではない。
例えば、図示の実施形態では、半導体１と抗体Ｒとを組み合わせたセンサチップＡ、Ｃを示しているが、水晶振動子型センサで電位変化を捉えて増幅するものであっても良い。
抗体と抗原の一致による（特定化部分）検出部（特定化部分）を有する診断用センサを、他のセンサに置き換えることも可能である。
例えば、臭気センサによる臭い感知機能を利用したもの、ペタイン色素やメロシアニン色素等の有機色素膜を利用したセンサ、βカロチン等の化学物質を利用したセンサ、酸化錫（ＳｎＯ２）、酸化亜鉛（ＺｎＯ）、酸化鉄（Ｆｅ２Ｏ３）、酸化チタン（ＴｉＯ３）等の金属酸化物半導体センサによっても検出可能である。
また、図示の実施形態では、単一種類の抗体をセンサチップに備えているが、複数種類の抗体を備えることも出来る。或いは、異なる抗体を有する複数種類のセンサを用いて診断用のデータを検出することも可能である。
複数種類のセンサを用いる場合には、各センサ出力を総合して（或いは重畳して）得た図形のパターンにより、人間の感覚に近い判断を行うことが可能となる。
上述した本発明の診断用センサを用いた診断方法は、半導体集積回路１から発する微弱電流４を検出する工程（図５のステップＳ１）と、微弱電流の波形をチェックし、ベースとなる波形（抗体と抗原が一致しない場合の微弱電流の波形）と許容範囲以上相違しているか否かを判定する工程（図５のステップＳ２、Ｓ３）と、抗体と一致する抗原が一定以上ある場合にその結果を表示する肯定（図５のステップＳ４、Ｓ５）とを有している。
発明の効果
上述した本発明の診断用センサ（Ａ：請求項１、２）、或いは上述した診断用センサを用いた本発明の診断用システム（Ｂ：請求項３）によれば、異常時に臭気を発生する原因である病原体、抗原（Ｓ）或いはリガンドを検出した際に電気的な変化を生じるので、当該センサからの信号をチェックすることにより、異常の有無を容易に判断することが出来る。すなわち、患者に苦痛の伴う生体組織の一部の切除及び／又は血液の採取を行わないで、人体の異常を検出することが出来る。
また、上述した診断用センサ（Ｃ）及びコンピュータネットワーク（Ｎ）による本発明の診断用システム（Ｅ：請求項４）は、家庭（Ｈ）内に診断用センサ（Ｃ）を設置することで、自動的に診断側コンピュータ（Ｄ）に情報が送られ、予め診断側コンピュータ（Ｄ）に用意されたデータ（Ｄ３）と照合比較することで、短時間で異常、或いは疾病を判断することが出来、早期治療に貢献する。
さらに、本発明の乳癌検出用ブラジャー（１０：請求項５）を着用していれば、検査という、精神的に負担を強いることを意識させるもなく、自然且つ容易に乳癌の早期発見が可能となる。
【図１】
2005083428.tif 000002
【図２】
2005083428.tif 000003
【図３】
2005083428.tif 000004
【図４】
2005083428.tif 000005
【図５】
2005083428.tif 000006
【図６】
2005083428.tif 000007
【図７】
2005083428.tif 000008
【図８】
2005083428.tif 000009
【図９】
2005083428.tif 000010
【国際調査報告】
2005083428.tif 000011
2005083428.tif 000012
2005083428.tif 000013